(57)【要約】【課題】  配管内を流通する液体に気体を溶解し、高濃度かつ均一に混合する気液混合撹拌圧縮微細気泡液生成装置を提供する。【解決手段】  配管内を流通する液体に気体を混入させる供給点より下流に、ポンプと、ポンプより下流に設ける溶解タンクＡとを配設し、ポンプより下流からポンプより上流へ還流する配管に溶解タンクＢを配設して気液混合撹拌圧縮微細気泡液生成装置を構成する。【選択図】図１
2016221496.tif 000002
【特許請求の範囲】
【請求項１】
配管内を流通する液体中に気体を溶解し、微細気泡液を生成する装置に於いて、気体の供給点より下流の配管上に前記気体の供給点に近い側から順にポンプ及び溶解タンクＡを配設した本流配管と、前記ポンプと前記溶解タンクＡとの間から溶解タンクＢを経由し、前記ポンプと前記気体の供給点との間へ還流する還流配管とからなることを特徴とする、気液混合撹拌圧縮微細気泡液生成装置
【請求項２】
前記気体が二酸化炭素であることを特徴とする、請求項１に記載の気液混合撹拌圧縮微細気泡液生成装置
【請求項３】
前記気体が酸素であることを特徴とする、請求項１に記載の気液混合撹拌圧縮微細気泡液生成装置
【請求項４】
前記気体が空気であることを特徴とする、請求項１に記載の気液混合撹拌圧縮微細気泡液生成装置
【請求項５】
複数種類の気体を溶解させる気液混合撹拌圧縮微細気泡液生成装置であり、全ての気体の供給点が、前記本流配管上の、前記本流配管と前記還流配管との上流側の接続点より上流に配設されていることを特徴とする、請求項１に記載の気液混合撹拌圧縮微細気泡液生成装置
【請求項６】
前記気体のうち１つが二酸化炭素であることを特徴とする、請求項５に記載の気液混合撹拌圧縮微細気泡液生成装置
【請求項７】
前記気体のうち１つが酸素であることを特徴とする、請求項５乃至請求項６に記載の気液混合撹拌圧縮微細気泡液生成装置
【請求項８】
前記気体のうち１つが空気であることを特徴とする、請求項５乃至請求項７に記載の気液混合撹拌圧縮微細気泡液生成装置
【請求項９】
配管内を流通する前記液体が入浴用水であり、前記ポンプによって浴槽又はプールの水を循環させることで微細気泡浴水を提供することを特徴とする、請求項１乃至請求項８に記載の気液混合撹拌圧縮微細気泡液生成装置
【発明の詳細な説明】
【技術分野】
【０００１】  本発明は、上水等の液体に気体を溶解させ、微細気泡液を生成する装置に関する。
【背景技術】
【０００２】  従来、微細気泡液には高い洗浄効果があることが知られており、工業製品の洗浄水に利用されたり、入浴用水として利用されたりしている。入浴用としては、微細気泡が細胞を刺激し、血行を促進する効果もある。このため、微細気泡液の生成装置は数多く製造されている。【０００３】  ところで、入浴によって人体に好ましい効果をもたらす気泡水浴として、炭酸泉が知られている。炭酸泉に入浴すると、皮膚表面の水素イオン指数を健康な状態である弱酸性に調整する効果や、入浴後の保温効果があると言われている。この効果を求めて、これまでも人工炭酸泉生成装置が製造されてきた。更に、溶解する気体を増やし、例えば二酸化炭素と酸素を併せて溶解した水に入浴すると、人工炭酸泉の効果に加え、性質や粒径の異なる気泡の相乗効果で、１種類の気体で行うよりも高い洗浄効果が得られたり、血圧を安定化したりする効果も期待できる。【０００４】  これらの微細気泡液は、より高濃度で気泡の粒径が細かく、かつ均一に拡散している方が、高い効果を発揮する。【０００５】  液体に１種類の気体を溶解する場合、濃度にむらができると、濃度の高い部分と低い部分とで微細気泡液の効果に差ができる。溶解する気体を複数種類にした場合は、気泡が均一に拡散している状態の方が、両方の気泡に触れたり、気泡同士の干渉が起こったりするため、相乗効果が高い。
【発明の概要】
【発明が解決しようとする課題】
【０００６】  そこで本発明は、気体を高濃度で溶解し、微細気泡として均一に拡散させる気液混合撹拌圧縮微細気泡液生成装置を提供することを目的とする。
【課題を解決するための手段】
【０００７】  以上の課題を解決するため、本発明は、気体の濃度を上げ、気泡をより微細化し、微細気泡を撹拌し拡散させる構造をもつ。【０００８】  段落番号０００７で示した構造として、液体の流れる本流配管に、上流から順に、溶解する気体を液体に供給する溶解気体供給点、ポンプ、気泡を撹拌及びせん断するための溶解タンクＡを配設する。【０００９】  ここで、本流配管のポンプと溶解タンクＡとの間から、溶解気体供給点とポンプとの間へ戻る還流配管を設け、還流配管に気泡を撹拌及びせん断するための溶解タンクＢを配設する。還流配管によりポンプと溶解タンクＢとの間を循環し、撹拌及びせん断を繰り返すことで、気泡が微細かつ均一に拡散するとともに、気体を取り込んだばかりの気液混合流体が常に流入するため、微細気泡液内の気体の濃度も高まる。【００１０】  溶解タンクＡには、ポンプより吐出された微細気泡液の一部が流通する。微細気泡液に含まれる気泡は、溶解タンクＡでよりせん断され、撹拌される。溶解タンクＡには排気弁が設けられ、未溶解の気体が流路外に抜ける構造になっている。【００１１】  気泡を微細化するために、微細気泡液供給口の気泡微細化ノズルを用いると、より効果が高い。溶解タンクＡで溶解した微細気泡液は、微細気泡液を使用する場所に供給するための微細気泡液供給口に設けられた気泡微細化ノズルによって更に微細気泡化する。気泡微細化ノズルは、微細気泡液が通過する際に小隙を流通することで気泡を更にせん断するための構造で、例えば網状であったり、細隙を流通するものであったり、狭小の孔を流通するものであったりする。【００１２】  本発明の利用方法として、浴槽やプール等の入浴用水として利用すれば、高い洗浄効果などの美容効果を期待できる微細気泡浴を行える。【００１３】  液体に溶解する気体の種類は本発明の構造により限定されないが、段落番号００１２のように入浴用水として利用する場合は、一般に気泡水浴に用いられる、二酸化炭素、酸素、空気、酸素富化空気等が考えられる。
【発明の効果】
【００１４】  本発明を実施すると、濃度の高い微細気泡を均一に拡散することができる。更に、複数種類の気体を同時に溶解した場合は、それぞれの気体が偏りなく拡散しているため、気泡の相乗効果が高まる。【００１５】  微細気泡液を入浴用水として浴用に供する場合、一般に微細気泡の効果として皮膚の洗浄効果が知られている。また、気体に二酸化炭素を用いると、人工炭酸泉となり、皮膚表面の水素イオン指数を健康な状態である弱酸性にしたり、入浴後の体を保温したりする効果があると言われている。更に、酸素と同時に溶解する場合、人工炭酸泉の効果に加え、性質や粒径の異なる気泡の相乗効果で皮膚の洗浄効果が増す、血圧を安定化する等の効果も期待できる。また、気体に空気を用いると、溶解度の違いから比較的気泡が大きいため、二酸化炭素や酸素で行う場合よりも乳白色に近くなる。そのため、空気単独や、空気と他の気体との組み合わせで使用すると、温泉成分によるにごり湯と似通った見掛けになるため、気泡の効果と併せて視覚効果も得られる。
【図面の簡単な説明】
【００１６】
【図１】  図１は、本発明の配管系統図である。
【図２】  図２は、本発明を、浴槽やプール等の入浴用水に使用した場合の配管系統図である。
【発明を実施するための形態】
【００１７】  以下、本発明の実施形態を図面とともに説明する。各図面では、気体を２種類溶解するものとして示しているが、気体の種類及び数は、本発明の構造によって限定されず、溶解度によって、溶解する気体の量を決定する。
【実施例】
【００１８】  図１は、本発明の配管系統図である。配管を流通する液体は、符号１のポンプよりも上流で気体を取り込む。図１では、符号４１の溶解気体ａ及び符号５１の溶解気体ｂが液体に取り込まれる点を、それぞれ符号４２の溶解気体ａ供給点、符号５２の溶解気体ｂ供給点で示している。気体を取り込み気液混合流体となった液体がポンプによって吐出された後の配管は、符号２１の溶解タンクＡへ接続される本流配管と、符号６の溶解タンクＢへ接続される還流配管とに分岐する。溶解タンクＢへ流通した気液混合流体は、溶解タンクＢによって気泡が撹拌及びせん断されて微細気泡液となり、再びポンプへと流通する。ポンプへは、溶解タンクＢを流通した微細気泡液と、溶解気体ａ及び溶解気体ｂを取り込んだばかりの気液混合流体とが併せて流入し、混合して溶解タンクＢへ流入するため、還流配管を循環するうち、微細気泡液内の気体の濃度が高まる。一方、溶解タンクＡへ流通した微細気泡液は、溶解タンクＡ内で気泡が撹拌及びせん断されて更に微細な気泡となり、微細気泡液供給口に設けられる符号３の気泡微細化ノズルを経て供給先へ供給される。溶解タンクＡには、符号２２の排気弁が設けてあり、未溶解の気体が流路外へ抜ける構造になっている。即ち、ポンプから吐出された後、溶解タンクＢ及び溶解タンクＡの２段階で溶解することで微細気泡液内の気体の濃度を上げ、かつ繰り返し気泡の撹拌及びせん断を行うため、従来の装置よりも気体の濃度が高く、気泡が微細で均一な微細気泡液が提供できる。【００１９】  図２は、本発明を入浴用水に適用した場合の配管系統図である。符号１のポンプが循環させる液体は、符号７の浴槽又はプールに供される入浴用水である。本発明により生成された微細気泡液は、再び浴槽又はプールへ還流するため、符号３の気泡微細化ノズルは、浴槽又はプールに設ける。
【産業上の利用可能性】
【００２０】  本発明は、配管内を流通している液体に気体を溶解する場合に産業を問わず広く応用可能であるが、特に、段落番号００１９で示したように入浴用水に対して循環配管を設けて使用することで、効果の高い微細気泡浴水を提供できる。
【符号の説明】
【００２１】１    ポンプ
２１  溶解タンクＡ
２２  排気弁
３    気泡微細化ノズル
４１  溶解気体ａ
４２  溶解気体ａ供給点
５１  溶解気体ｂ
５２  溶解気体ｂ供給点
６    溶解タンクＢ
７    浴槽又はプール
【図１】
2016221496.tif 000003
【図２】
2016221496.tif 000004